(57)【特許請求の範囲】
【請求項１】
乗かご内の縁部に沿って取付けられる直線幅木と、隣接する２つの前記直線幅木間に設置される曲線幅木とを備えたエレベータの乗かご構造において、
前記曲線幅木は、乗かご内室内の角部を曲線状とする部位の両端に取付け片を備え、前記取付け片にＬ字状の断面形状を有し、前記直線幅木と前記曲線幅木との繋ぎ目を面一に調整する調整手段を備えた位置調整金具をそれぞれ設け、前記調整手段は、前記位置調整金具のＬ字状の断面形状の前記曲線幅木との取付け面に、水平方向に形成される長穴を、前記位置調整金具のＬ字状の断面形状の前記乗かご側との取付け面に、鉛直方向に形成される長穴を備え、前記曲線幅木は、コの字状の断面形状を有する床枠に固定されることを特徴とするエレベータの乗かご構造。
【請求項２】
前記曲線幅木は、前記取付け片の上部に切欠きを備えたことを特徴とする請求項１記載のエレベータの乗かご構造。
【発明の詳細な説明】
【技術分野】
【０００１】
本発明は、乗かご内の縁部に沿って取付けられる幅木を備えたエレベータの乗かご構造に関する。
【背景技術】
【０００２】
一般的な建造物と同様に、エレベータの乗かごにも、台車や人の足等が当たることによる衝撃から壁面を守るために幅木が取付けられている。また、このようなエレベータの乗かご用の幅木にあっては、顧客の意匠的要求に応えるために、材質及び形状を選べるよう様々なラインナップを取り揃えている。
【０００３】
そして、幅木の形状として、乗かご内の縁部に沿って取付けられる直線幅木と、隣接する２つの直線幅木間に設置される曲線幅木とを備え、乗かご室内の角部を曲線状としたものがある。しかし、従来、このような曲線幅木は、乗かご床に、例えば溶着させることでその取付けが行われていた。
【０００４】
また、従来、乗かごの角部に曲線部材を取付けるものとして、予め略４分の１円弧状に形成された表面化粧板を、両面粘着テープを介して貼付するものが挙げられる（例えば、特許文献１参照）。
【特許文献１】特開２０００−２５５９４２号公報（段落番号００３３、図３）
【発明の開示】
【発明が解決しようとする課題】
【０００５】
しかしながら、前述した従来の前者のものは、曲線幅木を乗かご床に溶着させるものであることから、取付け作業に手間を要するとともに、直線幅木と曲線幅木との繋ぎ目を面一に調整することが難しいという問題があった。
【０００６】
また、後者のものは、両面粘着テープを介して貼付するものであることから、堅牢性の観点で問題があり、幅木に適用した場合、台車や人等が当たることによる衝撃で比較的容易に外れてしまう恐れがあった。
【０００７】
本発明は、前述した従来技術における実状からなされたもので、その目的は、曲線幅木を適正位置に容易、かつ堅牢に取付けることのできるエレベータの乗かご構造を提供することにある。
【課題を解決するための手段】
【０００８】
前記目的を達成するために、本発明は、乗かご内の縁部に沿って取付けられる直線幅木と、隣接する２つの前記直線幅木間に設置される曲線幅木とを備えたエレベータの乗かご構造において、前記曲線幅木は、乗かご内室内の角部を曲線状とする部位の両端に取付け片を備え、前記取付け片にＬ字状の断面形状を有し、前記直線幅木と前記曲線幅木との繋ぎ目を面一に調整する調整手段を備えた位置調整金具をそれぞれ設け、前記調整手段は、前記位置調整金具のＬ字状の断面形状の前記曲線幅木との取付け面に、水平方向に形成される長穴を、前記位置調整金具のＬ字状の断面形状の前記乗かご側との取付け面に、鉛直方向に形成される長穴を備え、前記曲線幅木は、コの字状の断面形状を有する床枠に固定されることを特徴としている。
【０００９】
このように構成した本発明では、Ｌ字状の断面形状を有する位置調整金具の一端を曲線幅木の取付け片に取付けるとともに、位置調整金具の他端を乗かご側に固定することにより、隣接する２つの直線幅木間に曲線幅木を設置する。これによって、曲線幅木を容易、かつ堅牢に取付けることができる。また、位置調整金具に備えられた調整手段により、直線幅木と曲線幅木との繋ぎ目が面一になるよう調整することができる。また、位置調整金具は調整手段として曲線幅木との取付け面に水平方向の長穴を備えており、この長穴を介して位置調整金具の一端は曲線幅木に固定されることから、曲線幅木取付け位置を奥行き方向にあって調整することができる。更に、置調整金具は調整手段として乗かご側との取付け面に鉛直方向の長穴を備えており、この長穴を介して位置調整金具の他端は乗かご側に固定されることから、曲線幅木取付け位置を鉛直方向にあって調整することができる。
【００１４】
また、本発明は、前記曲線幅木は、前記取付け片の上部に切欠きを備えたことを特徴としている。
【００１５】
このように構成した本発明では、取付け片の上部に切欠きを形成することで、乗かご側部材と干渉することを防ぐとともに、曲線幅木の着脱を容易なものとすることができる。
【発明の効果】
【００１８】
本発明によれば、曲線幅木を位置調整金具を介して取付けることで、取付け作業を簡易化し、作業時間の短縮及び労力の低減を図ることができるとともに、曲線幅木を確実に固定し、堅牢性の向上を図ることができる。また、調整手段により直線幅木と曲線幅木との繋ぎ目を面一とすることで、意匠性の向上を図ることもできる。
【発明を実施するための最良の形態】
【００１９】
以下、本発明に係るエレベータの乗かご構造の実施の形態を図に基づいて説明する。
【００２０】
図１は本発明に係るエレベータの乗かご構造の一実施形態を示す斜視図、図２は本実施形態における乗かごの概略構成図、図３は本実施形態における乗かご床部の概略構成図、図４は本実施形態における曲線幅木の取付け状態を示す要部斜視図である。
【００２１】
エレベータの乗かごは、図２に示すように、天井１と、床２と、床２の周囲に立設される側板３とを備えてなっている。また、台車や人の足等が当たることによる衝撃から乗かごの壁面を守るために、床２と側板３との間に幅木４が取付けられているとともに、幅木４は、図３に示すように、床２の縁部に沿って取付けられる直線幅木４１と、隣接する２つの直線幅木４１間に設置される曲線幅木４２とを備え、乗かご室内の角部を曲線状としたものとなっている。
【００２２】
そして、本実施形態の乗かご構造にあっては、図１に示すように、Ｌ字状の断面形状を有し、直線幅木４１と曲線幅木４２との繋ぎ目を面一に調整する調整手段を備えた位置調整金具５が設けられている。
【００２３】
位置調整金具５は、調整手段として、曲線幅木４２との取付け面に、水平方向に形成される長穴５１と、乗かご側との取付け面に、鉛直方向に形成される長穴５２とを備えている。そして、図４にも示すように、位置調整金具５の一端は、長穴５１を介してボルト６により曲線幅木４２に固定されるとともに、位置調整金具５の他端は、長穴５２を介してボルト６により乗かご側、即ち、コの字状の断面形状を有する床枠２１に固定される。なお、本実施形態では、長穴５１の一方端は開放されている。
【００２４】
曲線幅木４２は、図１及び図４に示すように、その両端に位置調整金具５が取付けられる取付け片４２ａを備えてなっているとともに、これらの取付け片４２ａの上部には切欠き４２ｂが形成されている。
【００２５】
本実施形態にあっては、乗かごに幅木４を取付ける場合、まず、曲線幅木４２を乗かご室内の角部に固定する。即ち、曲線幅木４２両側にあって、位置調整金具５の一端を長穴５１を介してボルト６により曲線幅木４２に仮固定した状態で、位置調整金具５の他端を長穴５２を介してボルト６により床枠２１に仮固定する。この状態で曲線幅木４２両側にあって、位置調整金具５の水平方向の長穴５１を介して奥行き方向の調整、及び鉛直方向の長穴５２を介して高さ方向の調整をし、後ほど固定する直線幅木４１との繋ぎ目が面一になる位置とした状態でボルト６を本締めして曲線幅木４２を固定する。このとき、曲線幅木４２の取付け片４２ａ上部に切欠き４２ｂが形成されていることで、前述したようにコの字状の断面形状を有する床枠２１と干渉することを避けることができる。この後、直線幅木４１を所定位置に固定して作業を完了する。
【００２６】
本実施形態によれば、曲線幅木４２を位置調整金具５を介して取付けることで、取付け作業を簡易化し、作業時間の短縮及び労力の低減を図ることができるとともに、曲線幅木４２を確実に固定し、堅牢性の向上を図ることができる。また、調整手段、長穴５１、５２により直線幅木４１と曲線幅木４２との繋ぎ目を面一とすることで、意匠性の向上を図ることができる。さらに、鉛直方向の長穴５２を介して曲線幅木４２を取付けることで、床２の仕上げ材の厚み寸法の変化にも対応することが可能となり、凡庸性の高い構造とすることができる。さらにまた、取付け片４２ａの上部に切欠き４２ｂを形成することで、乗かご側部材、即ち床枠２１と干渉することを防ぐとともに、曲線幅木４２の着脱を容易なものとすることができる。
【００２７】
図５は本発明に係るエレベータの乗かご構造の他の実施形態を示す斜視図である。なお、前述したものと同等のものには同一符号が付してある。
【００２８】
他の実施形態の乗かご構造は、図５に示すように、乗かご側に設けられる板ばね７と、曲線幅木４２の板ばね７と対向する位置に形成される固定用切欠き４２ｃとが備えられている。
【００２９】
他の実施形態によれば、乗かご側の板ばね７を、曲線幅木４２側の固定用切欠き４２ｃに嵌合し、曲線幅木４２を固定するものであることから、曲線幅木４２の着脱に工具等を要せず、作業を簡易化することができる。
【図面の簡単な説明】
【００３０】
【図１】本発明に係るエレベータの乗かご構造の一実施形態を示す斜視図である。
【図２】本実施形態における乗かごの概略構成図である。
【図３】本実施形態における乗かご床部の概略構成図である。
【図４】本実施形態における曲線幅木の取付け状態を示す要部斜視図である。
【図５】本発明に係るエレベータの乗かご構造の他の実施形態を示す斜視図である。
【符号の説明】
【００３１】
１  天井
２  床
２１  床枠
３  側板
４  幅木
４１  直線幅木
４２  曲線幅木
４２ａ  取付け片
４２ｂ  切欠き
４２ｃ  固定用切欠き
５  位置調整金具
５１、５２  長穴
６  ボルト
７  板ばね
【図１】
0004902597.tif 000002
【図２】
0004902597.tif 000003
【図３】
0004902597.tif 000004
【図４】
0004902597.tif 000005
【図５】
0004902597.tif 000006